(57)【特許請求の範囲】
【請求項１】
枠状に形成された外枠の内側に配置される内枠に対し、その内枠の遊技者側となる前面側において左右いずれか一側縁に沿う回動軸線周りで回動開閉される前面枠を、回動閉鎖状態において施錠し、かつ開錠操作によって回動開放可能にするための錠機構を備えた遊技機用施錠装置であって、
前記内枠の前面側において左右方向に延びる形態で固定された内枠固定部材と、
その内枠固定部材と前記前面枠とを回動閉鎖状態において係合連結するために、前記内枠固定部材の左右長手方向における１又は複数の位置に形成された係合部と、
前記前面枠の後面側において左右方向に延びる形態で固定され、前記前面枠の回動閉鎖状態において前記内枠固定部材に近接又は接触して対向位置する前面枠固定部材と、
その前面枠固定部材に保持されるとともに、前記前面枠の回動閉鎖時には前記内枠固定部材の係合部との当接により、前記錠機構の開錠操作時にはその錠機構との連係により、それぞれ左右方向へ直線的に移動して、前記係合部を係合・保持する保持状態と、その係合部から離脱する離脱状態との間を移行可能な移動部材と、
前記前面枠固定部材と移動部材との間に設けられ、前記前面枠の回動閉鎖状態において前記保持状態を維持する向きに前記移動部材を付勢する付勢部材とを備え、
前記係合部は、前記内枠固定部材から前記回動軸線と平行状に突出形成された軸状の部材で構成される一方、
前記移動部材は、前後方向及び左右方向に所定の広がりを有する板状の部材で構成されるとともに、前記前面枠の回動閉鎖状態において前記内枠固定部材及び前面枠固定部材と平行状、かつ前記係合部の軸線と直交状に位置し、
前記前面枠の回動閉鎖時において、前記移動部材は、前記係合部との当接により前記付勢部材の付勢力に抗して前記離脱状態に移行した後、その付勢部材の付勢力によって前記保持状態に移行する一方、
前記錠機構の開錠操作時において、前記移動部材は、前記錠機構との連係により前記付勢部材の付勢力に抗して前記離脱状態に移行し、その離脱状態を維持したままでの前記前面枠の回動開放を可能とすることを特徴とする遊技機用施錠装置。
【請求項２】
前記前面枠固定部材は、
前記前面枠に固定するために、その後面に沿って延設される取付部と、
その取付部の前記回動軸線方向の一端側を基端としＬ字状に屈曲して先端が後方側に延設され、前記移動部材の左右方向への移動を案内するための案内部と、
を含む請求項１に記載の遊技機用施錠装置。
【請求項３】
前記移動部材は前記前面枠固定部材の屈曲内面側に配置されるとともに、
前記前面枠の回動閉鎖状態において、前記案内部の後方側先端部は、前記内枠固定部材の前方側先端部と前後方向での重なりを有する請求項２に記載の遊技機用施錠装置。
【請求項４】
前記移動部材には、前記係合部に係合ロックするためのフック部が形成され、
そのフック部は、
前記前面枠の回動閉鎖時において前記係合部に当接したとき、前記付勢部材の付勢方向とは逆方向に移動して前記離脱状態に移行するための傾斜面と、
その傾斜面を乗り越えた後、前記付勢部材の付勢方向に移動して前記保持状態に移行するために、前記傾斜面と連続する形で形成された保持面とを有する請求項１ないし３のいずれか１項に記載の遊技機用施錠装置。
【請求項５】
前記錠機構は、開錠操作に伴って前記回動軸線方向に移動する縦スライド部材を含み、
前記移動部材と縦スライド部材とのうちの少なくともいずれか一方には、前記縦スライド部材の回動軸線方向への動きを左右方向への動きに変換するための変換部が形成されている請求項１ないし４のいずれか１項に記載の遊技機用施錠装置。
【請求項６】
請求項１ないし５のいずれか１項に記載の遊技機用施錠装置のうち、前記内枠に前記内枠固定部材及び係合部を備えるとともに、前記前面枠に前記前面枠固定部材、移動部材及び付勢部材を備え、
前記前面枠の回動閉鎖時において、前記移動部材は、前記係合部との当接により前記付勢部材の付勢力に抗して前記離脱状態に移行した後、その付勢部材の付勢力によって前記保持状態に移行する一方、
前記錠機構の開錠操作時において、前記移動部材は、前記錠機構との連係により前記付勢部材の付勢力に抗して前記離脱状態に移行し、その離脱状態を維持したままでの前記前面枠の回動開放を可能とすることを特徴とする遊技機。
【発明の詳細な説明】
【技術分野】
【０００１】
枠状に形成された外枠の内側に配置される内枠に対し、その内枠の遊技者側となる前面側において内枠の一側縁に沿う回動軸線周りで回動開閉される前面枠を、回動閉鎖状態において施錠し、かつ開錠操作によって回動開放可能にするための錠機構を備えた遊技機用施錠装置及びそれを備えた遊技機に関する。
【背景技術】
【０００２】
例えば下記特許文献１の施錠装置は、前面枠の裏面下部に、開錠動作に連動する撓み防止片８１が揺動自在に設けられており、その撓み防止片８１の他端に設けられた係合凹部８８が、内枠の前面下部に突設された係止杵２３の凹溝７８に係合される。これにより、前面枠中央を前方側へ引張ることで、遊技盤の表面と、前面枠に設けられる透明板（ガラス等）の裏面との間隔が広がりにくくする、すなわち前面枠の撓みを防ごうとしたものである。したがって、広がった間隔に遊技球を挟んで入賞口の開いた状態を維持し不正に賞球を得るといった不正行為の防止を目的としたものである。
【先行技術文献】
【特許文献】
【０００３】
【特許文献１】特許第４２０４５６１号公報
【発明の概要】
【発明が解決しようとする課題】
【０００４】
しかし、特許文献１の施錠装置では、撓み防止片の係合凹部と係止杵の凹溝とで係合されるので、部品のねじれ等の要因によっては、正しく係合が行えない場合や、外部からの衝撃等により、係合凹部と凹溝との係合が解除されてしまう虞がある。
【０００５】
さらに、上記のような施錠装置の撓み防止片は、前面枠の裏面と平行な面内で揺動し、係合されるので撓み防止片の厚み方向、すなわち前後方向への引張りには弱く、曲がり易いので、前面枠の撓みを確実に防ぐことができるとは言えない。また、例えば、前面枠と内枠によって生じる隙間から撓み防止片を操作されて、係合を解除されてしまうといった不正行為の防止対策が何等されていない。
【０００６】
本発明の課題は、錠機構と連動する係合を無用な衝撃によって解除されることなく確実に維持させることで、前面枠の撓みを防ぎ、また、外部からの不正な操作による係合の解除といった不正行為の防止効果が高い遊技機用施錠装置と、それを備えた遊技機を提供することにある。
【課題を解決するための手段及び発明の効果】
【０００７】
上記課題を解決するために、本発明の遊技機用施錠装置は、
枠状に形成された外枠の内側に配置される内枠に対し、その内枠の遊技者側となる前面側において左右いずれか一側縁に沿う回動軸線周りで回動開閉される前面枠を、回動閉鎖状態において施錠し、かつ開錠操作によって回動開放可能にするための錠機構を備えた遊技機用施錠装置であって、
前記内枠の前面側において左右方向に延びる形態で固定された内枠固定部材と、
その内枠固定部材と前記前面枠とを回動閉鎖状態において係合連結するために、前記内枠固定部材の左右長手方向における１又は複数の位置に形成された係合部と、
前記前面枠の後面側において左右方向に延びる形態で固定され、前記前面枠の回動閉鎖状態において前記内枠固定部材に近接又は接触して対向位置する前面枠固定部材と、
その前面枠固定部材に保持されるとともに、前記前面枠の回動閉鎖時には前記内枠固定部材の係合部との当接により、前記錠機構の開錠操作時にはその錠機構との連係により、
それぞれ左右方向へ直線的に移動して、前記係合部を係合・保持する保持状態と、その係合部から離脱する離脱状態との間を移行可能な移動部材と、
前記前面枠固定部材と移動部材との間に設けられ、前記前面枠の回動閉鎖状態において前記保持状態を維持する向きに前記移動部材を付勢する付勢部材とを備え、
前記係合部は、前記内枠固定部材から前記回動軸線と平行状に突出形成された軸状の部材で構成される一方、
前記移動部材は、前後方向及び左右方向に所定の広がりを有する板状の部材で構成されるとともに、前記前面枠の回動閉鎖状態において前記内枠固定部材及び前面枠固定部材と平行状、かつ前記係合部の軸線と直交状に位置し、
前記前面枠の回動閉鎖時において、前記移動部材は、前記係合部との当接により前記付勢部材の付勢力に抗して前記離脱状態に移行した後、その付勢部材の付勢力によって前記保持状態に移行する一方、
前記錠機構の開錠操作時において、前記移動部材は、前記錠機構との連係により前記付勢部材の付勢力に抗して前記離脱状態に移行し、その離脱状態を維持したままでの前記前面枠の回動開放を可能とすることを特徴とする。
【０００８】
上記遊技機用施錠装置では、移動部材が、左右方向へ直線的に移動して、係合部と係合連結されるので、係合のための凹溝等を設ける必要もなく確実に係合される。さらに、付勢部材によって、移動部材と係合部との係合状態を維持する方向へ付勢されるので、衝撃等を受けても係合状態が解除されにくくより確実に係合される。
【０００９】
また、係合部が複数形成されるようにすればより一層、移動部材が係合連結・係合維持され、解除されにくいといった効果を高めることができる。
【００１０】
また、左右方向への直線的な係合であるので、係合のためのスペースを少なくすることができ、他の部品との干渉の虞がない。さらに、係合部は内枠固定部材に形成され、移動部材は前面枠固定部材に保持されているので、例えば交換のための取り外し・取り付け等が容易に行える。
【００１２】
また、係合部は軸状の部材であって、一方、移動部材は板状の部材で構成されるとともに、前面枠の回動閉鎖状態において内枠固定部材及び前面枠固定部材と平行状、かつ係合部の軸線と直交状に位置するので、前後方向への強度が増し、前面枠の撓みを小さくできる。よって、例えば、撓みから生じた隙間（前面枠に設けられるガラス部の裏面との間隔）に遊技球を挟んで入賞口の開いた状態を維持し不正に賞球を得るといった不正行為を防止することができる。
【００１３】
前記前面枠固定部材は、
前記前面枠に固定するために、その後面に沿って延設される取付部と、
その取付部の前記回動軸線方向の一端側を基端としＬ字状に屈曲して先端が後方側に延設され、前記移動部材の左右方向への移動を案内するための案内部と、
を含む構成としてもよい。
【００１４】
これによれば、前面枠固定部材が、取付部の回動軸線方向の一端側を基端としＬ字状に屈曲して先端が後方側に延設されているので、遊技機外部から前面枠と内枠の隙間に対して異物を混入させて不正に賞球を得るという行為を行おうとしても、本発明のような前面枠固定部材の形態であればそれが壁となって阻止する役目を果たすので、不正防止の効果を得ることができる。
【００１５】
前記移動部材は前記前面枠固定部材の屈曲内面側に配置されるとともに、
前記前面枠の回動閉鎖状態において、前記案内部の後方側先端部は、前記内枠固定部材の前方側先端部と前後方向での重なりを有する構成としてもよい。
【００１６】
これによれば、移動部材は前面枠固定部材の屈曲内面側に配置されるとともに、前面枠の回動閉鎖状態において、案内部の後方側先端部は、内枠固定部材の前方側先端部と前後方向での重なりを有するので、内枠と前面枠の隙間において、上方からは移動部材の不正な操作による係合解除を防ぎ、下方からは、遊技盤へ異物が侵入するのを防ぐ効果がある。
【００１７】
前記移動部材は、前記前面枠の回動閉鎖時と前記錠機構の開錠操作時との少なくとも一方において、前記前面枠固定部材の案内部及び前記内枠固定部材の双方により同時に摺動案内されて左右方向へ移動する構成としてもよい。
【００１８】
これによれば、移動部材が前面枠固定部材の案内部及び内枠固定部材によって摺動案内されるので、より安定して左右方向へ移動させることができる。
【００１９】
前記移動部材には、左右方向に長孔形状を有するガイド孔が貫通形成される一方、
前記ガイド孔に挿通されたガイドピンが、そのガイド孔内を左右方向に移動可能な形態で、前記前面枠固定部材の案内部に固定されている構成としてもよい。
【００２０】
これによれば、ガイド孔及びガイドピンによって、移動部材がより一層安定して左右方向へ移動することができる。
【００２１】
前記移動部材には、前記係合部に係合ロックするためのフック部が形成され、
そのフック部は、
前記前面枠の回動閉鎖時において前記係合部に当接したとき、前記付勢部材の付勢方向とは逆方向に移動して前記離脱状態に移行するための傾斜面と、
その傾斜面を乗り越えた後、前記付勢部材の付勢方向に移動して前記保持状態に移行するために、前記傾斜面と連続する形で形成された保持面とを有する構成としてもよい。
【００２２】
これによれば、移動部材はより確実に係合部と係合することが可能になり、また、外部からの衝撃を受けても係合が解除されることなく係合状態を維持できる。
【００２３】
前記錠機構は、開錠操作に伴って前記回動軸線方向に移動する縦スライド部材を含み、
前記移動部材と縦スライド部材とのうちの少なくともいずれか一方には、前記縦スライド部材の回動軸線方向への動きを左右方向への動きに変換するための変換部が形成されている構成としてもよい。
【００２４】
これによれば、限られた少ないスペースでも施錠装置を構成することができ、自由度の高い遊技機の設計を行える。
【００２５】
また、上記課題を解決するために本発明の遊技機は、上記した遊技機用施錠装置のうち、前記内枠に前記内枠固定部材及び係合部を備えるとともに、前記前面枠に前記前面枠固定部材、移動部材及び付勢部材を備え、
前記前面枠の回動閉鎖時において、前記移動部材は、前記係合部との当接により前記付勢部材の付勢力に抗して前記離脱状態に移行した後、その付勢部材の付勢力によって前記保持状態に移行する一方、
前記錠機構の開錠操作時において、前記移動部材は、前記錠機構との連係により前記付勢部材の付勢力に抗して前記離脱状態に移行し、その離脱状態を維持したままでの前記前面枠の回動開放を可能とすることを特徴とする。
【００２６】
これによれば、確実に係合状態を維持し、前面枠の撓み、特に前後方向への撓みを防ぎ、また、撓みによって生じる隙間を利用した不正な入賞球の獲得や異物混入、また外部からの移動部材の操作による係合解除等の不正防止効果が高い遊技機である。
【００２７】
なお、本発明の遊技機には、（１）パチンコ機等の弾球遊技機、（２）スロットマシンやパチスロ機等の回胴式遊技機、（３）ポーカーゲーム機、雀球遊技機等の各種ゲーム機、等が含まれる。
【図面の簡単な説明】
【００２８】
【図１】本発明に係る遊技機用施錠装置を備えたパチンコ機の正面図。
【図２】前面枠を開放した状態を示す斜視図。
【図３】シリンダ錠を示す斜視図及び左側面図。
【図４】シリンダ錠の取り付け状態を示す分解斜視図。
【図５】内枠固定部材の取り付け状態を示す分解斜視図。
【図６】前面枠に固定された前面枠固定部材及び横スライド部材を示す背面図。
【図７】前面枠を示す斜視図。
【図８】前面枠固定部材及び横スライド部材の取り付け状態を示す分解斜視図。
【図９】図１のＢ−Ｂ断面図及び要部拡大図。
【図１０Ａ】係合前の状態を示す図１のＡ−Ａ断面図。
【図１０Ｂ】係合中の状態を示す図１のＡ−Ａ断面図。
【図１０Ｃ】係合時の状態を示す図１のＡ−Ａ断面図。
【図１０Ｄ】係合保持中の状態を示す図１のＡ−Ａ断面図。
【図１１Ａ】横スライド部材及び縦スライド部材の動作前を示す斜視図及び要部拡大図。
【図１１Ｂ】横スライド部材及び縦スライド部材の動作中を示す斜視図及び要部拡大図。
【図１２】内枠開錠時の錠機構の動作を示す斜視図及び要部拡大図。
【発明を実施するための形態】
【００２９】
以下、本発明の実施例の形態を図面を参照しつつ説明する。なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００３０】
図１は本発明に係る遊技機用施錠装置を備えたパチンコ機の正面図である。図１に示すように、パチンコ機１（遊技機）の遊技盤２の盤面（前面）には、ほぼ左半周が内外２本のガイドレール２ｂによって区画され、全体として円形の遊技領域２ａが形成されている。遊技領域２ａの中央には、遊技盤２上での遊技状態の変化に応じた演出表示を行う液晶表示部３が配置されている。この液晶表示部３と、液晶表示部３を保持する矩形枠状の中央フレーム４と、を含むセンター役物１００が遊技盤２に搭載されている。液晶表示部３の下方（遊技領域２ａの中央下部）に大入賞口５（アタッカー）が配置されている。また、液晶表示部３と大入賞口５との間には、電動チューリップ（電チュー）にて構成される始動口６が配置されている。
【００３１】
図２は前面枠を開放した状態を示す斜視図である。図２に示すようにパチンコ機１は、枠状に形成された外枠１０の内側に内枠１１が配置されている。その内枠１１の前面側左縁の回動軸線Ｏ周りで回動開閉可能な前面枠１２（図１も参照）が配置される。前面枠１２は、ガラス部１３を支持するガラス枠１４が嵌め込まれている。内枠１１前面側の右側縁付近には、前面枠１２を、回動閉鎖状態において施錠し、かつ開錠操作によって、回動開放可能にする錠機構２０を備えている。この錠機構２０の一部を構成する錠機構ベース部３０が固定され、そこにシリンダ錠１５が取り付けられる。
【００３２】
シリンダ錠１５の左近傍には、内枠１１の中央付近まで左右方向に延びる形態の内枠固定部材１６が固定されている。内枠固定部材１６は、その内枠固定部材１６と前面枠１２とを回動閉鎖状態において係合連結するために、内枠固定部材１６の左右長手方向における２箇所に係合部１７が形成されている。また、前面枠固定部材１８が前面枠１２の後面側において左右方向に延びる形態で固定されている。前面枠固定部材１８は、前面枠１２の回動閉鎖状態において内枠固定部材１６に近接して対向に位置している（図９も参照）。
【００３３】
そして、前面枠固定部材１８には、移動部材である横スライド部材１９が保持される（図８も参照）。横スライド部材１９は、前面枠１２の回動閉鎖時には、内枠固定部材１６の係合部１７との当接により、錠機構２０の開錠操作時にはその錠機構２０との連係により、それぞれ左右方向へ直線的に移動して、係合部１７を係合・保持する保持状態と、その係合部１７から離脱する離脱状態との間を移行可能である。
【００３４】
錠機構２０及び縦スライド部材５０について詳細に説明する。図３は、シリンダ錠１５を示す斜視図及び左側面図。図４は、シリンダ錠１５の取り付け状態を示す分解斜視図である。
【００３５】
図３、４に示すように、断面コ字状に形成された錠機構ベース部３０の内方に、外枠１０側へ突出する施錠フック４０が一体成形された内枠施錠プレート３１と、前面枠１２側へ突出する施錠フック４１が一体形成された前面枠施錠プレート３２とが、それぞれが接しない程度にわずかに離間して設けられる。内枠施錠プレート３１の施錠フック４０は、錠機構ベース部３０の後面側の下方に形成された挿通孔４３を通して錠機構ベース部３０から突出する。
【００３６】
また、内枠施錠プレート３１から内方へ突出するプレート突出部３３が、前面枠施錠プレート３２に形成された矩形状のプレート角孔３４へ挿通されない程度の間隔で配置されるとともに、同じく前面枠施錠プレート３２から内方へ突出するプレート突出部３５が、外枠施錠プレート３１に形成された矩形状のプレート角孔３６へ挿通されない程度の間隔で配置される。さらに、内枠施錠プレート３１と、前面枠施錠プレート３２とにそれぞれ形成された楕円状のプレート円孔３７、３８にガイドピン３９が挿通される。このガイドピン３９及びプレート円孔３７、３８のスペースによって、内枠施錠プレート３１及び前面枠施錠プレート３２が互いにガイドされて上下方向へ移動可能となっている。さらに、内枠施錠プレート３１及び前面枠施錠プレート３２の下方の前面側には、それぞれ取付フック２３、２４が形成されて、内枠施錠プレート３１及び前面枠施錠プレート３２が互いに上下方向の移動に対して付勢させるための、例えば引張コイルばね等の第１付勢部材２２が取り付けられる。
【００３７】
また、錠機構ベース部３０には、シリンダ錠１５が挿通される挿通孔４２ａが形成されたシリンダ錠取付部４２が設けられる。この挿通孔４２ａにシリンダ錠１５が挿通固定され、シリンダ錠１５の後面側に突出するシリンダ軸４３に、シリンダフック先端部４４ａと、シリンダフック先端部４４ｂと、シリンダフック先端部４４ｃとを備えたシリンダフック４４が嵌合される。シリンダフック先端部４４ａは、シリンダフック４４の上部左端に、シリンダフック先端部４４ｂは、シリンダフック４４の上部右端に、シリンダフック先端部４４ｃは、シリンダフック４４の下部右端にそれぞれ形成される。シリンダフック４４の具体的な動作態様については後で説明を行う。
【００３８】
さらに、シリンダ錠取付部４２には、錠機構２０の開錠操作に伴って回動軸線Ｏ方向すなわち、上下方向へ直線移動可能な縦スライド部材５０が取り付けられる。縦スライド部材５０の左側面には縦スライド部材突出部４７が形成され、その下方には楕円状のガイド孔５９形成されている。縦スライド部材５０は、このガイド孔５９にガイドピン５８を挿通してシリンダ錠取付部４２に取り付けられているので、上下方向への直線移動が可能となっている。の縦スライド部材５０下端部には、縦スライド部材５０の上下方向（回動軸線Ｏ方向）への動きを左右方向への動きに変換するための変換部である第１変換部４８が形成されており、第１変換部４８は正面視において左側が高位とされる傾斜となっている。そして、縦スライド部材５０を上方向へ付勢させるための、例えば引張コイルばね等の第２付勢部材２３が、縦スライド部材５０の上部に形成された取付けフック５１と、シリンダ錠取付部４２上端に形成された取付けフック５２とを介して取り付けられる。
【００３９】
内枠固定部材１６について詳細に説明する。図５は、内枠固定部材１６の取り付け状態を示す分解斜視図である。
【００４０】
図５に示すように、内枠固定部材１６は、内枠１１の前面側に形成された固定部材取付部２７に対して、ビス２８、２８によって固定されている。内枠固定部材１６は断面コ字状の形態をなし、内枠固定部材１６と前面枠１２とを回動閉鎖状態に係合連結するための係合部１７が、内枠固定部材１６の左右長手方向の前面側縁部に例えば２箇所形成されている。また、係合部１７は、内枠固定部材１６から回動軸線Ｏと平行状に突出形成された軸状の部材で構成されている。なお、係合部１７は２箇所以上形成することも可能であり、複数形成することでより安定した係合状態を維持することが可能となる。
【００４１】
前面枠固定部材１８及び横スライド部材１９について詳細に説明する。図６は、前面枠１２に固定された前面枠固定部材１８及び横スライド部材１９を示す背面図。図７は、前面枠１２を示す斜視図。図８は、前面枠固定部材１８及び横スライド部材１９の取り付け状態を示す分解斜視図である。
【００４２】
図６〜８に示すように、前面枠固定部材１８は、前面枠１２の後面側において左右方向に延びる形態で固定されている。前面枠固定部材１８は、前面枠１２の回動閉鎖状態において内枠固定部材１６に近接して対向に位置し、左右の長さが内枠固定部材１６とほぼ等しい。
【００４３】
また、前面枠固定部材１８は、ビス５６、５６によって前面枠１２に固定するために、その後面に沿って延設される取付部６１と、その取付部６１の回動軸線Ｏ方向の上端側を基端とし、Ｌ字状に屈曲して先端が後方側に延設され、横スライド部材１９の左右方向への移動を案内するための案内部６２とが形成されている。
【００４４】
横スライド部材１９は前面枠固定部材１８の屈曲内面側、すなわち案内部６２の下面に配置される。横スライド部材１９は、前後方向及び左右方向に所定の広がりを有する板状の部材で構成されるとともに、前面枠１２の回動閉鎖状態において内枠固定部材１６及び前面枠固定部材１８と平行状、かつ係合部１７の軸線と直交状に位置している。これにより、係合状態において前後方向（奥行き方向）での強度が増すため、前面枠１２の撓みを少なくすることができる。
【００４５】
横スライド部材１９には、左右方向に長孔形状を有するガイド孔６３が３箇所に貫通形成される一方、ガイド孔６３に挿通された３つのガイドピン６４が、それぞれのガイド孔６３内を左右方向に移動可能な形態で、前面枠固定部材１８の案内部６２に固定されている。また、前面枠固定部材１６と横スライド部材１９との間に設けられ、前面枠１２の回動閉鎖状態において保持状態を維持する向き、すなわち、右方向に横スライド部材１９を付勢する付勢部材として、例えば引張コイルばね等の第３付勢部材２４が、前面枠固定部材１８の右端に設けられた取付フック５３と、横スライド部材１９に設けられた取付フック５４とを介して取り付けられている。
【００４６】
横スライド部材１９には、係合部１７に係合ロックするためのフック部が２つ形成され、そのフック６５部は、前面枠１２の回動閉鎖時において係合部１７に当接したとき、横スライドの付勢方向（右方向）とは逆方向（左方向）に移動して離脱状態に移行するための傾斜面６６と、その傾斜面６６を乗り越えた後、横スライド部材１９の付勢方向、すなわち右方向に移動して保持状態に移行するために、傾斜面６６と連続する形で形成された保持面６７とを有する。より具体的には、傾斜面６６は、後方側に向かうにつれて横スライド部材１９による付勢力の作用する向き（右方向）とは逆方向（左方向）に傾斜する。保持面６７は、例えば軸状の係合部１７を係合・保持するために、係合部１７の外周面を抱持可能な形状を有している。
【００４７】
また、横スライド部材１９の右端には、縦スライド部材５０の回動軸線Ｏ方向（上下方向）への動きを左右方向への動きに変換するための変換部である第２変換部４９が形成されている。この第２変換部４９は、正面視において左側が高位とされる傾斜となっている。
【００４８】
以上のような構成にすることで、前面枠１２の回動閉鎖時において、横スライド部材１９は、係合部１７との当接により第３付勢部材２４の付勢力に抗して離脱状態に移行した後、その第３付勢部材２４の付勢力によって保持状態に移行する一方、錠機構２０の開錠操作時において、横スライド部材１９は、錠機構２０との連係により第３付勢部材２４の付勢力に抗して離脱状態に移行し、その離脱状態を維持したままでの前面枠１２の回動開放を可能とすることができる。
【００４９】
前面枠１２の回動閉鎖状態について説明する。図９は、図１のＢ−Ｂ断面図及び要部拡大図である。
【００５０】
図９に示すように、前面枠１２の回動閉鎖状態において、案内部６２の後方側先端部６８は、内枠固定部材１６の前方側先端部６９と前後方向での重なりを有する（オーバーラップする）。また、前面枠固定部材１８の屈曲外面側となるＬ字状屈曲角隅部７０には、ガラス枠１４を受け止めて支持するためのガラス枠受け部７１が形成されている。換言すれば、ガラス枠受け部７１の下面に前面枠固定部材１８のＬ字状屈曲角隅部７０が当接する。このような構成にすることにより、遊技機外部から前面枠１２の隙間に対して不正行為を行おうとしても、前面枠固定部材１８が壁となって阻止する役目を果たすので、不正防止の効果を得ることができる。また、外部からの異物混入も防ぐことができる。
【００５１】
また、横スライド部材１９は、前面枠１２の回動閉鎖時及び錠機構２０の開錠操作時において、前面枠固定部材１８の案内部６２及び内枠固定部材１６の双方により同時に摺動案内されて左右方向へ移動する。具体的には、前面枠固定部材１８の案内部６２の下面に、横スライド部材１９の前方側の上面が近接するとともに、内枠固定部材１６の前方側先端部６９の下面に、横スライド部材１９の後方側の上面が近接する。そして、横スライド部材１９が摺動案内されて左右方向へ移動する。
【００５２】
＜前面枠の回動閉鎖時における動作の一例＞
以下、前面枠１２の回動閉鎖時における動作の一例を説明する。図１０Ａは、係合前の状態を示す図１のＡ−Ａ断面図。図１０Ｂは、係合中の状態を示す図１のＡ−Ａ断面図。図１０Ｃは、係合時の状態を示す図１のＡ−Ａ断面図。図１０Ｄは、係合保持中の状態を示す図１のＡ−Ａ断面図である。
【００５３】
図１０Ａに示すように、前面枠１２を回動軸線Ｏ（図２参照）周りで内枠１１方向へ回動させる。すると横スライド部材１９は、内枠固定部材１６及び前面枠固定部材１８と平行状、かつ係合部１７の軸線と直交状に位置しているので、図１０Ｂに示すように、フック部６５の傾斜面６６が係合部１７に当接し、その傾斜面６６によって横スライド部材１９が、第３付勢部材２４の付勢力に抗する左方向に案内される（離脱状態）。そして、図１０Ｃに示すように、フック部がその傾斜面６６を乗り越えた後、図１０Ｄに示すように、第３付勢部材２４の付勢力の方向、すなわち右方向へ横スライド部材１９が移動する（係合・保持状態）。この時、上記したように、フック部６５は保持面６７を有しているので、係合部１７の係合を確実に保持することができる。
【００５４】
＜錠機構の開錠操作時における動作の一例＞
以下、錠機構２０の開錠操作時における動作の一例を説明する。図１１Ａは、横スライド部材１９及び縦スライド部材５０の動作前を示す斜視図及び要部拡大図。図１１Ｂは、横スライド部材１９及び縦スライド部材５０の動作中を示す斜視図及び要部拡大図。図１２は、内枠１１開錠時の錠機構２０の動作を示す斜視図及び要部拡大図である。
【００５５】
図１１Ａ、１１Ｂに示すように、錠機構２０の開錠操作によって、シリンダ錠１５のシリンダフック４４が左回りに回動すると、シリンダフック先端部４４ａが縦スライド部材５０の縦スライド部材突出部４７に当接し、第２付勢部材２３の付勢力に抗して、縦スライド部材５０が下方向へ移動する。すると、縦スライド部材５０の第１変換部４８が、横スライド部材１９の第２変換部４９に当接し、縦スライド部材５０の下方向への動きが横スライド部材１９の左方向への動きに変換される。そして、横スライド部材１９は、第３付勢部材２４の付勢力に抗して左方向へ移動する。これにより、フック部６５は、係合部１７から係合が解除（離脱状態）される。
【００５６】
なお、この錠機構２０の開錠操作によって、周知の開錠動作も連動する。すなわち、シリンダフック４４が左回りに回動すると、シリンダフック先端部４４ｃがプレート突出部３５に当接し、前面枠施錠プレート３２が上方向へ移動するため、施錠フック４１と、前面枠１２の右端に設けられた施錠孔４５との係合が解除される（図２も参照）。よって、フック部６５が係合部１７から係合が解除されるとともに、施錠フック４１が施錠孔４５から係合が解除されることにより、内枠１１に対し前面枠１２の回動開放が可能となる。
【００５７】
また、図１２に示すように、錠機構２０の開錠動作で、シリンダ錠１５を右周りに回動させれば、シリンダフック先端部４４ｂがプレート突出部３３に接して、内枠施錠プレート３１が下方向へ移動するため、施錠フック４０と、外枠１０に設けられた係合片６０との係合が解除される。よって、外枠１０に対し、内枠１１が開放可能となる。
【００５８】
以上の実施例では、内枠１１に錠機構２０を備え、前面枠１２に横スライド部材１９を備える構成について説明したが、例えば図示しないが、前面枠１２へ、横スライド部材１９に加え、錠機構２０の一部を構成する錠機構ベース部３０、シリンダ錠１５、縦スライド部材５０等（各固定部材及び付勢部材含む）を備え、内枠１１に、内枠施錠プレート３１及び前面枠施錠プレート３２を備え、前面枠１２の回動閉鎖状態において、シリンダ錠１５の回動により、内枠施錠プレート３１が下方向へ、前面枠施錠プレート３２が上方向へ移動して、施錠フック４１は施錠孔４５と係合が解除され、施錠フック４０は係合片６０と係合が解除されるような構成で本発明を実施してもよい。
【００５９】
以上の実施例では、内枠１１に対し前面枠１２全体が回動開放する例を説明したが、例えば図示しないが、前面枠１２おいて、ガラス枠１４を保持する枠体と球受け皿とが別々に分離する（開放可能な）構成の場合、前面枠固定部材１８は、ガラス枠１４を保持する枠体側に固定され、上記で説明した前面枠固定部材１８の形態によって、前面枠１２の間から異物挿入を防止することができる。
【００６０】
以上の実施例では、遊技機用施錠装置をパチンコ機に搭載する場合についてのみ説明したが、アレンジパチンコ等のその他の弾球遊技機は勿論、スロットマシンやパチスロ機等の回胴式遊技機、ポーカーゲーム機や雀球遊技機等の各種ゲーム機、等で実施してもよい。
【符号の説明】
【００６１】
１  パチンコ機（遊技機）
２  遊技盤
１０  外枠
１１  内枠
１２  前面枠
１６  内枠固定部材
１７  係合部
１８  前面枠固定部材
１９  横スライド部材（移動部材）
２０  錠機構
２４  第３付勢部材（付勢部材）
４８  第１変換部（変換部）
４９  第２変換部（変換部）
５０  縦スライド部材
６１  取付部
６２  案内部
６３  ガイド孔
６４  ガイドピン
６５  フック部
６６  傾斜面
６７  保持面
６８  後方側先端部
６９  前方側先端部
Ｏ  回動軸線
【図１】
0005558170.tif 000002
【図２】
0005558170.tif 000003
【図３】
0005558170.tif 000004
【図４】
0005558170.tif 000005
【図５】
0005558170.tif 000006
【図６】
0005558170.tif 000007
【図７】
0005558170.tif 000008
【図８】
0005558170.tif 000009
【図９】
0005558170.tif 000010
【図１０Ａ】
0005558170.tif 000011
【図１０Ｂ】
0005558170.tif 000012
【図１０Ｃ】
0005558170.tif 000013
【図１０Ｄ】
0005558170.tif 000014
【図１１Ａ】
0005558170.tif 000015
【図１１Ｂ】
0005558170.tif 000016
【図１２】
0005558170.tif 000017